(57)【要約】【課題】  遊技機を安定した状態で立設させて搬送することができるようにする。【解決手段】  パチンコ機ＰＭが、外枠２０と外枠２０の側部にヒンジ結合されて横開き可能に取り付けられた前枠３０と前枠３０に装備された遊技構成部材とを有し、全体として縦向きに立設されて遊技に供される。外枠２０は、上枠部材２１、左枠部材２２、右枠部材２３および下枠部材２４から矩形枠状に形成され、下枠部材２４が、枠底面となる底板部２６と前枠より下側において前面に露出する部分を覆う幕板部２５とから樹脂材料により一体に形成される。底板部２６には、左右一対の支持プレート２９１が取り付けられ、そのＵ字状溝２９４ａ内に、左右に姿勢保持ローラ２９８を有した連結シャフト２９７が着脱自在である。【選択図】  図８
2006034843.tif 000002
【特許請求の範囲】
【請求項１】
固定保持用の外枠と、前記外枠の側部にヒンジ結合されて横開き可能に取り付けられるとともに常時は前記外枠の前面開放空間を覆って閉止保持される前枠と、前記前枠の所要設定位置に装備された遊技構成部材とを有し、全体として縦向きに立設されて遊技に供される縦型遊技機において、
前記外枠が、上枠部材、左枠部材、右枠部材および下枠部材から矩形枠状に形成され、
前記下枠部材が、枠底面を形成する底板部と前記外枠に前記前枠が閉止保持された状態で前記前枠より下側において前面に露出する部分を覆う幕板部とから樹脂一体成形により形成され、
前記底板部の上面に回転自在に且つ着脱可能に取り付けられるとともに下端部が前記底板部に形成された開口内に位置して配設された支持ローラを有することを特徴とする縦型遊技機。
【請求項２】
前記底板部の前記枠底面が、前記外枠の前面および後面に対して直角な面に対して所定角度だけ傾斜して形成されており、前記枠底面を水平載置面上に接触させて前記外枠を載置すると前記外枠は前記所定角度だけ後傾状態で起立するようになっており、
前記底板部に取り付けられた状態で前記支持ローラの下端が前記枠底面の前端を通り前記外枠の前面および後面に直角な面上に位置し、前記枠底面の前端および前記支持ローラの下端を水平載置面に当接させて前記外枠を垂直に起立させることができるように構成されていることを特徴とする請求項１に記載の縦型遊技機。
【発明の詳細な説明】
【技術分野】
【０００１】
本発明は、固定保持用の外枠と、外枠の側部にヒンジ結合されて横開き可能に取り付けられるとともに常時は外枠の前面開放空間を覆って閉止保持される前枠と、前枠の所要設定位置に装備された遊技構成部材とを有し、全体として縦向きに立設されて遊技に供される縦型遊技機に関する。
【背景技術】
【０００２】
上記のような縦型遊技機として、パチンコ機やアレンジボール機、雀球機などが知られている。この種の遊技機の代表例とされるパチンコ機では、前枠が外枠の側部にヒンジ機構を介して開閉可能に連結され、反対側側部に設けられた施錠装置を用いて常には外枠の前面を覆う閉鎖姿勢で前枠が閉止保持される。この前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等を備えた裏セット盤、パチンコ機の作動を制御する各種制御基板や中継基板など、各種の遊技構成部材が各々の設定位置に装備されている。
【０００３】
ここで、上記のように遊技構成部材が装備されて前枠と遊技構成部材とが一つにまとめられた前枠全体（以下、「前枠構造体」という）はかなりの重量となる。このため、パチンコ機では通常の形態として、重量のある前枠構造体と比較的軽量な外枠とが別に取り扱われ、前枠構造体が外枠に対してヒンジ機構を用いて片持ち支持形態で連結されて開閉できるようになっている。なお、外枠は、木材や硬質樹脂材により形成された複数本の定尺枠部材を枠組み連結して構成されている（例えば、特許文献１〜４参照）。また、ヒンジ機構は、外枠と前枠の互いの一側縁（例えば正面左側の側縁）上下に固定された外枠側および前枠側ヒンジ金具の軸ピンと軸孔との嵌合いにより連結するように構成されているものが多用されている。
【０００４】
ところで、パチンコ機では本来の縦向き遊技提供状態において、重量物である前枠構造体の裏セット盤内に多数の金属製遊技球を貯留しており、全体として相当な重量となる。このため、外枠に対して左側縁上下のヒンジ機構で片持ち連結支持されている前枠は、ヒンジ機構の軸ピンと軸孔との嵌合差（径差）やヒンジ金具の撓みに起因して反支点側（正面右側）が下傾して、水平姿勢・位置を保持できなくなるおそれがある。この結果、前枠およびこれにより保持された遊技構成部材が傾き変位し、それぞれの球通流路の勾配変化による球流れ不良を招く等、本来の設計意図に基づく安定したゲームが展開維持し得なくなるという問題が生じるおそれがある。それだけに前枠構造体を適正な姿勢・位置に保持することが重要であり、またその支持技術手段が不可欠である。
【０００５】
そこで、従来からパチンコ機に実施されている一般的な枠構造では、外枠を遊技施設の遊技島に設置する際に外枠を適正な姿勢・位置に調整して固定し、このように姿勢調整された外枠に前枠構造体を連結させて閉止したときに、前枠構造体が適正な姿勢・位置に支持されるように構成されている。具体的には、外枠と前枠の互いの下部整合部位、すなわち、外枠の前側開口面域下端に位置する耐久強度の高い支持台板（「幕板」）の上端面において左右方向の傾きが水平になるように水平調整を行い、さらに外枠の前後方向の傾きが所定の後傾角度（一般に１度以内の後傾角度とされる）になるように傾斜調整を行って、外枠を適正な姿勢・位置に調整したうえで遊技島に釘打ち固定する。一方、ヒンジ機構と反対側にあたる右側の下部整合部分には、ヒンジ機構の連結支持高さ位置を基準とする係合支持部が設けられ、左側のヒンジ機構と右側の係合支持部とで前枠を支持することで、前枠を閉鎖した遊技提供時に前枠構造体が適正な左右方向の水平姿勢・位置および所定の後傾姿勢で保持されるように構成されている。
【０００６】
なお、係合支持部の構成としては、一般的には、幕板の上端右側に受け金具を設ける一方、前枠の下端右側にはこの受け金具と係脱可能な座部を下方に突出成型し、前枠を閉鎖したときに前枠側の座部が外枠側の受け金具に乗り上げるように係合して前枠構造体を支持する構成が用いられている。また、重量物である前枠構造体の開閉操作をより滑らかに実現するため、前枠側および外枠側の係合支持部のいずれか一方に回動可能な回転ローラを設け、回転ローラと平面（受け金具または座部）との係合によって前枠構造体を支持するように構成した枠構造が提案されている。
【０００７】
【特許文献１】特許第２５０５６３０号公報
【特許文献２】特許第２５５１８８０号公報
【特許文献３】特許第２６７３４１１号公報
【特許文献４】特許第２８５６３２１号公報
【発明の開示】
【発明が解決しようとする課題】
【０００８】
ところで、上記のようにパチンコ機等は外枠の前後方向の傾きが所定の後傾角度（約１度以内の後傾角度）になるように傾斜調整を行って、外枠を適正な姿勢・位置に調整したうえで遊技島に釘打ち固定されるが、この後傾角度を付与するために外枠の底面に後傾角度に対応するテーパを設け、外枠を遊技島に載置した状態で所定の後傾角度を有して立設できるように構成されることがある。このように構成することにより外枠を遊技島に設置するときの後傾調整が不要もしくは簡単となるのであるが、製造段階や、運送段階において遊技機を立設した状態で搬送することが多く、このとき搬送台上に遊技機を単独で立設すると所定の後傾角度を有して後傾状態で立設することになり、立設安定性に欠けるという問題がある。特に、前枠に取り付けられた遊技盤の後面側に取り付けられる遊技構成部材は外枠の後端面より後方に突出し、遊技機全体の重心位置が後側に位置する傾向があるため、喩え僅かな角度であっても後傾状態で立設することにより後方に転倒しやすくなり、立設安定性に欠けるという問題がある。
【０００９】
また、パチンコ機を搬送する場合に、梱包されたり、箱詰めされたりした状態ではフォークリフト等の搬送装置を用いて機械力により搬送されるが、例えば、製造段階での工場内でのパチンコ機の搬送や、遊技ホールへ搬送された後にこれを遊技島設備内の所定位置に搬送するような簡単な搬送を行うときには、人手による搬送が行われることも多い。このようなときに、アセンブリ状態のパチンコ機はかなりの重量であり、一人でこれを持ち上げて搬送するのは難しく、複数人による搬送を必要とするなど、搬送作業が繁雑であるといった問題がある。
【００１０】
本発明はこのような問題に鑑みたもので、遊技機を遊技島に所定の後傾角度を有して設置するためのテーパ面が外枠底面に設けられた遊技機を、製造段階や、運送段階において安定した状態で立設させて搬送することができるようにすることを目的とする。本発明はまた、製造段階での工場内での遊技機の移動搬送や、遊技ホールへ搬送された後にこれを遊技島設備内の所定位置に移動させる搬送等に際して、人手のみで簡単に且つ楽に遊技機の搬送移動を行うことができるような構成の縦型遊技機を提供することを目的とする。
【課題を解決するための手段】
【００１１】
このようなことから、本発明に係る縦型遊技機は、固定保持用の外枠と、この外枠の側部にヒンジ結合されて横開き可能に取り付けられるとともに常時は外枠の前面開放空間を覆って閉止保持される前枠と、この前枠の所要設定位置に装備された遊技構成部材とを有し、全体として縦向きに立設されて遊技に供されるように構成され、外枠が、上枠部材、左枠部材、右枠部材および下枠部材から矩形枠状に形成され、下枠部材が、枠底面を形成する底板部と外枠に前枠が閉止保持された状態で前枠より下側において前面に露出する部分を覆う幕板部とから樹脂一体成形により形成され、底板部の上面に回転自在に且つ着脱可能に取り付けられるとともに下端部が底板部に形成された開口内に位置して配設された支持ローラを有する。
【００１２】
なお、底板部の枠底面が外枠の前面および後面に対して直角な面に対して所定角度だけ傾斜して形成されており、枠底面を水平載置面上に接触させて外枠を載置すると外枠は所定角度だけ後傾状態で起立するようになっており、底板部に取り付けられた状態で、支持ローラの下端が枠底面の前端を通り外枠の前面および後面に直角な面上に位置して枠底面の前端および支持ローラの下端を水平載置面に当接させて外枠を垂直に起立させることができるように構成されているように構成しても良い。
【発明の効果】
【００１３】
上記構成の本発明に係る縦型遊技機によれば、底板部および幕板部を樹脂一体成形してなる下枠部材の底板部に着脱自在に且つ回転自在に支持ローラが取り付けられており、且つこの支持ローラの下端が底板部の開口内に位置して構成されているので、この支持ローラを外枠を所望の角度で立設（例えば、垂直に立設）させるために用いることができ、例えば、遊技機の搬送時等にこれを安定した状態で立設させることができる。なお、支持ローラを取り外せば、底板部の底面をそのまま載置面に接触させて載置することになり、底板部の底面の傾斜に対応する所望の立設角度で遊技機を遊技島設備内に取り付けることができる。このように遊技島設備に設置した状態の遊技機では支持ローラが不要であるので、取り外したローラを別の遊技機に使用することができ、資源の有効利用ができる。また、下枠部材を樹脂一体成型しているため、外枠を廃棄するときには下枠部材を溶融して再利用可能であり、省資源化を図ることができる。
【００１４】
なお、底板部の枠底面を外枠の前面および後面に対して直角な面に対して所定角度だけ傾斜して形成し、枠底面を水平載置面上に接触させて外枠を載置すると外枠は所定角度だけ後傾状態で起立するように構成する遊技機構成もあるが、このときには、底板部に取り付けた支持ローラの下端を枠底面の前端を通り外枠の前面および後面に直角な面上に位置するようにしておけば、枠底面の前端およびローラの下端を水平載置面に当接させて外枠を垂直に起立させることができる。
【発明を実施するための最良の形態】
【００１５】
以下、図面を参照して本発明の好ましい実施形態について説明する。本発明に係る縦型遊技機の一例として、遊技島に取り付けられた状態におけるパチンコ機ＰＭを図１及び図２に示しており、まずこれらの図を参照して遊技島を構成する島構造体１０およびパチンコ機ＰＭの全体概要構成について説明する。
【００１６】
島構造体１０は、天井側から順に配設された、島幕板１１と、呼び出しランプ１２ａを有したランプ板１２と、パチンコ機ＰＭを横に１列に並んで配設するために横方向に所定間隔を有して設けられた保持枠１３と、球箱載せ台となる天板１４と、天板１４から下方に床面まで延びる腰板１５とから構成される。そして、ランプ板１２と天板１４との上下間隔内において保持枠１３により仕切られて横方向に並んだ複数の空間内にそれぞれパチンコ機ＰＭが図示のように取り付けられる。なお、このように取り付けられたパチンコ機ＰＭの背面側には、遊技中において入賞装置に入賞せずにアウト口に入り込んだアウト球をホール側に回収するための回収装置（図示せず）が島設備として設けられている。
【００１７】
このようにして島構造体１０に取り付けられるパチンコ機ＰＭの構成について簡単に説明する。パチンコ機ＰＭは、外郭方形枠サイズに構成されて縦向きの固定保持枠をなす外枠２０の前面開口に、これに合わせた方形枠サイズに構成されて開閉搭載用の前枠３０が前面左側に設けられた上下ヒンジ機構５０，５１により外枠２０に対して横開き開閉および着脱が可能に取り付けられ、施錠装置３２により常には外枠２０の前面を覆った閉止状態で保持される。
【００１８】
上記外枠２０は、木材や樹脂等で成形加工された複数本の定形尺の枠部材すなわち上枠部材２１および左右枠部材２２，２３と、樹脂一体成形された下枠部材２４とを直角に枠組み連結して構成されており、ランプ板１２、左右の保持枠１３および天板１４に囲まれた空間内に固定される。下枠部材２４は、前枠３０の下側において前面に露出する部分をなす幕板部２５と、外枠下面を形成する底板部２６とを備えて樹脂材料により一体に形成されている。このように樹脂材料を使用することにより、下枠部材２４についてはこれをそのまま廃棄することなく、溶融して再利用可能である。
【００１９】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基板とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００２０】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１が設けられている。なお、詳細図示しないが、上球皿部４１に前面側が覆われた前枠３０の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００２１】
さらに、前枠３０の前面における上球皿装置４０の下側に下球皿装置４３が前方に突出して設けられている。この下球皿装置４３は、上球皿部４１内に貯留された入賞球がオーバーフローしたときや、遊技者が上球皿装置４０の球排出レバー４２を操作して上球皿部４１から入賞球が排出されたときに内部に形成された球皿通路を介して送られてくる入賞球を受容して貯留する下球皿部４４と、下球皿部４４の右側に位置して遊技球の発射操作を行う発射ハンドル４５と、下球皿部４４の左側に位置する灰皿４６、下球皿部４４内に貯留した遊技球を下方に載置された球箱内に落下排出させるための球抜きレバー４７とから構成されている。なお、下球皿部４４の底面には球排出孔が形成されており、この球排出口を開閉自在に覆う球抜き蓋を球抜きレバー４７の操作により開放して、下球皿部４４内の遊技球を球箱内に排出できるようになっている。
【００２２】
前枠３０の裏面側には、球貯留タンク６１、球貯留タンク６１から供給された遊技球を落下移動させつつ整列させるタンクレール６２、遊技盤３３における入賞状態等に基づいてタンクレール６２を通ってタンク６１から供給される遊技球を賞球として払い出す球払出装置６３、遊技中での各種制御を行うための電源基板６４、主基板６５、画像表示装置３７の裏面側に位置して画像表示制御を行う画像制御基板６６等が図示のように配設されている。なお、図示していないが、内部には、球払出装置６３から払い出された賞球を上球皿部４１に導く賞球通路や、遊技中において遊技盤３５の入賞具３８に入賞することなく落下してアウト口３９に入り込んだ遊技球をパチンコ機ＰＭの背面側に導くアウト球通路が設けられている。
【００２３】
以上の構成のパチンコ機ＰＭにおいて、外枠２０の下部を構成する下枠部材２４について、図３〜図６を参照して説明する。下枠部材２４は、外枠２０の前面に閉鎖状態で保持された前枠３０の下側において前面に露出する部分を覆うように位置する垂直板状の幕板部２５と、幕板部２５の下縁から水平に後方に延びて外枠２０の底面を構成する底板部２６と、底板板部２６の底面前部において下方に突出するとともに横方向に延びる下面前端部２６５とからなり、樹脂材料により一体に成形されて作られている。下面前端部２６５の前面には、図７等に示すように左右に延びて凹部２６５ｂが形成されており、この凹部２６５ｂを覆って下端キャップ２６６が後面側から挿入されたネジ２６６ａ（図１１参照）を用いて取り付けられるようになっている。
【００２４】
幕板部２５は、前面が垂直平面からなり、後面に桁枠状の補強リブ２５１を有しており、左右端部に前後に垂直に延びる板状の結合面部２５２を有している。なお、結合面部２５２は底板部２６と同一の前後長さを有した矩形板状に形成されており、幕板部２５、底板部２６および下面前端部２６５はこれら左右の結合面部２５２より外側に延出した幕板延出部２５３、底板延出部２６２ａおよび下面前端延出部２６５ａを有している。底板部２６は、外枠下面を形成する平板状の下底面部２６１と、左右両側において下底面部２６１から所定間隔を有して上方に位置する左右の上底面部２６２とから構成され、下底面部２６１から下方に突出する底面リブ２６１ａが設けられ、この底面リブ２６１ａの下端が枠底面と一致する。なお、上底面部２６２が結合面部２５２を超えて外側に延出して底板延出部２６２ａが形成されている。
【００２５】
このように構成された下枠部材２４が左右枠部材２２，２３の下部に結合されて外枠２０が構成されるのであるが、この結合部の構成を説明する。この結合は、左右枠部材２２，２３の下部内側面が結合面部２５２の外側面に接触し、下部前面が幕板延出部２５３の後面に接触し、底面が底板延出部２６２ａの上面に接触するように、下枠部材２４の左右端部に左右枠部材２２，２３を載置し、結合面部２５２と左右の枠部材２２，２３とをリベット結合して行われる。このリベット結合のため、図４〜図６に示されているように、左右の結合面部２５２および左右枠部材２２，２３にそれぞれ４カ所においてリベット挿通孔２５２ａ，２２ａ，２３ａが形成されており、これらリベット挿通孔にリベット２２２，２３２を挿通させて左右の結合面部２５２に左右枠部材２２，２３をリベット結合する。このとき、リベット２２２，２３２の頭部が外側面に突出しないように、左右枠部材２２，２３の外側面に前後に延びる凹溝２２１，２３１が形成されており、且つリベット２２２，２３２の両端頭部と結合面部２５２および左右枠部材２２，２３との間に受け座金２２３，２３３が挟持されて、リベット結合強度の低下（へたり）を防止している。
【００２６】
さらに、幕板延出部２５３の後面には、図９に詳しく示すように、ネジ挿入口２５３ｂが形成されたボス部２５３ａが設けられており、前面にはネジ挿入口２５３ｂが開口するキャップ取付凹部２５３ｃが形成されている。この幕板延出部２５３の前面側からネジ挿入口２５３ｂにネジ２５４を挿入して左右枠部材２２，２３に螺合させ、左右枠部材２２，２３と幕板部２５とを結合させる。この後、キャップ取付凹部２５３ｃに図示のようにキャップ２５５を取り付けて、外観を損なうことを防止するようにしている。このようにして、リベット２２２，２２３およびネジ２５４により左右枠部材２２，２３が下枠部材２４にしっかりと結合される。
【００２７】
ここで、遊技島を構成する島構造体１０における設置台枠の収容サイズが関西枠および関東枠の二種類に分かれるため、これら両枠に対応すべく、下枠部材２４を二種類用意するようにしている。すなわち、図３（Ａ）に示すように、下枠部材２４の高さ寸法Ａを関東枠用に設定したものと、図３（Ｂ）に示すように、下枠部材２４′の高さ寸法Ａ′（＞Ａ）を関西枠用に設定したものとを用意し、関東枠用のパチンコ機ＰＭには図３（Ａ）に示す下枠部材２４を組み付け、関西枠用のパチンコ機ＰＭには図３（Ｂ）に示す下枠部材２４′を組み付けて外枠２０を作成する。
【００２８】
なお、関東枠用の下枠部材２４と関西枠用の下枠部材２４′とは、底板部２６より上側の幕板部２５，２５′の高さ寸法を変更した形状により対応している。このため、幕板延出部２５３，２５３′および結合面部２５２，２５２′のサイズが両下枠部材２４，２４′において相違するのみで、その他の寸法、形状は同一である。
【００２９】
上記のように下枠部材２４，２４′と左右枠部材２２，２３とを結合するとともに、上枠部材２１の左右端部に左右枠部材２２，２３の上端部を結合して外枠２０が作られるのであるが、上枠部材２１と左右枠部材２２，２３の結合構造は従来と同一であるので、その説明は省略する。
【００３０】
図１及び図２に示すようにパチンコ機ＰＭは遊技島構造体１０に取り付けられるのであるが、このときに、まず上記のように矩形枠状に構成された外枠２０が単体で遊技島構造体１０に取り付けられる。この取付は、底板部２６を釘（例えば、五寸釘）により天板１４に打ち付けて行われる。このとき、下枠部材２４は樹脂材料により形成されているため、釘を底板部２６に直接打ち込んだのでは底板部２６が割れたり、ヒビが入ったりするおそれがある。このため、底板部２６の左右２カ所に前後方向の後部側に位置して、左右に延びた長孔からなる釘打ち孔２６４ａを有した釘ボス２６４が形成されており、この釘打ち孔２６４ａを通して釘を天板１４に打ち込んで、底板部２６を天板１４に結合固定するようになっている。
【００３１】
このようにして釘により下枠部材２４を天板１４に固定するとともに、上枠部材２１を同様に釘により島構造体１０を構成する部材（ランプ板１２の後側に位置する構造部材）に固定し、外枠２０を所要の後傾角度（通常は、１度以内の角度）で島構造体１０に固定する。そして、上下のヒンジ機構５０，５１を介して前枠３０を外枠２０に開閉自在に取り付けた後、前枠３０を閉鎖状態で施錠装置３２により外枠２０に施錠保持して遊技に供される。これら上下のヒンジ機構５０，５１のうち、上ヒンジ機構５０は従来から用いられているヒンジ機構と同一であり、外枠２０及び前枠３０のいずれか一方に垂直に延びる係止ピンが設けられ、他方に垂直に延びる係合孔を有した係合部材が設けられており、係止ピンを係合部材の係合孔に嵌合させて外枠２０に対して前枠３０の左端上部が水平方向に開閉揺動自在に係合保持されるようになっている。
【００３２】
一方、下ヒンジ機構５１は図９及び図１０に示すように構成されており、この構造についてこれらの図を参照して説明する。下枠部材２４の幕板部２５における正面から見て左上端部に、前方に突出してヒンジ受容部２５６が一体に形成されている（下枠部材２４の一部として樹脂一体成形されている）。ヒンジ受容部２５６の上面に、下ヒンジピン部材５２を受容するための略変則五角形状の平板状凹部からなる受容凹部２５６ａが形成されており、この受容凹部２５６ａ内に下ヒンジピン部材５２が受容されて保持される。受容凹部２５６ａ内には、上下に貫通するネジ挿入孔２５６ｃを有した円筒状の凹部からなる保持凹部２５６ｂと、二つの保持ネジ孔２５６ｄ（図５参照）が形成されている。
【００３３】
下ヒンジピン部材５２は、受容凹部２５６ａに対応した略変則五角形状の板状部５３と、板状部５３の下面に下方に突出して設けられた円盤状の保持部５４ａと、板状部５３の上面における保持部５４ａと上下に対向する位置に上方に突出して設けられた円盤状の支持部５４ｂと、支持部５４ｂから上方に突出するとともに保持部５４ａと垂直同軸上に位置して形成された支持ピン部５４ｃとからなり、金属材料等から作られている。なお、板状部５３の二カ所に保持ネジ孔２５６ｄに対応してネジ挿入孔５３ａが形成されている。このような形状の下ヒンジピン部材５２は、保持部５４ａを保持凹部２５６ｂ内に嵌入させつつ板状部５３を受容凹部２５６ａ内に受容させ、ネジ挿入孔５３ａから挿入した保持ネジ５８をネジ孔２５６ｄに螺合させて（図５参照）、ヒンジ受容部２５６に取り付けられる。さらに、ヒンジ受容部２５６の下面側からネジ挿入口２５６ｃ内に固定ネジ５５を挿入し、これを下ヒンジピン部材５２の保持部５４ａの下面に形成されたネジ孔に螺合させて下ヒンジピン部材５２をヒンジ受容部２５６に強固に固定して、下ヒンジ機構５１が構成されている。
【００３４】
一方、前枠部材３０を構成する枠部材３１の左端下端部には、ヒンジ金具５６がネジ５７により固定されており、ヒンジ金具５６には下ヒンジピン部材５２の支持ピン部５４ｃと嵌合する嵌合孔５６ａが形成されている。嵌合孔５６ａ内に支持ピン部５４ｃを嵌入させるようにして前枠３０が外枠２０に取り付けられる。このとき同時に、上ヒンジ機構５０において係止ピンが係合部材の係合孔に嵌合し、上下のヒンジ機構５０，５１により前枠３０が外枠２０に開閉自在に取り付けられる。なお、上ヒンジ機構５０の係止ピンと下ヒンジ機構５１の支持ピン部５４ｃとは、垂直に延びる同軸上に位置し、この軸が開閉揺動中心軸となる。さらにこのとき、図９に示すように、ヒンジ金具５６が下ヒンジピン部材５２の支持部５４ｂの上に載置されて上下方向の支持がなされる。
【００３５】
上記のように下ヒンジ機構５１は幕板部２５（下枠部材２４）の一部として樹脂一体成形されたヒンジ受容部２５６内に下ヒンジピン部材５２（ヒンジ部材）を受容保持する構成であるので、従来のようにヒンジ金具（ヒンジ部材）が幕板の前方に露出して装飾性を低下させるおそれがない。また、従来のようにヒンジ金具が前方に露出すると、ヒンジ金具が外部の何かに当たって外力が作用したようなときに、ヒンジ金具が変形して前枠の水平保持が狂うおそれがあり、さらには、前方に露出したヒンジ金具を通して遊技機内部に不正に電波等を照射して内部装置の誤作動を引き起こすような不正操作のおそれがあったが、本実施形態の下ヒンジ機構５１ではこのような問題がない。本実施形態の下ヒンジ機構５１では特に、下ヒンジピン部材５２の支持部５４ｂの上に載置されたヒンジ金具５６をヒンジ受容部２５６がカバーして保護する形態となっており、ヒンジ金具５６が外部から外力を受けて変形することを防止している。
【００３６】
下枠部材２４には、さらに、前枠支持機構２７、第１上下動抑止機構２８、可搬機能付き姿勢保持機構２９および第２上下動抑止機構７０が設けられており、これらの構成および作用について説明する。
【００３７】
まず、前枠支持機構２７について、図４〜図７を参照して説明する。前枠支持機構２７は、パチンコ機ＰＭを正面から見た状態で、上下ヒンジ機構５０，５１と反対側すなわち右側における幕板部２５の後側に設けられて、閉鎖状態の前枠３０を下側から支持するための機構である。前枠支持機構２７は、金属板材からなるベース部材２７１と、軸ピン２７６を介してベース部材２７１により回転自在に支持された支持ローラ２７５とから構成される。ベース部材２７１は、水平断面形状がコの字状に成形されて、後面板部２７２と左右面板部２７３，２７４とを有し、左右面板部２７３，２７４の上部２７３ａ，２７４ａに軸ピン２７６が取り付けられ、この軸ピン２７６上に回転自在に支持ローラ２７５が取り付けられている。
【００３８】
このように構成された前枠支持機構２７の取付のために、幕板部２５の後面に後方に突出する一対の支持機構取付ボス２５７ａ，２５７ａが上下に並んで形成されており、ベース部材２７１の後面板部２７２には上下に並んだネジ挿入孔２７２ａ，２７２ａが貫通形成されている。後面板部２７２を支持機構取付ボス２５７ａ，２５７ａの後端面に当接させるとともにネジ挿入孔２７２ａ，２７２ａから取付ネジ２７８を挿入して支持機構取付ボス２５７ａ，２５７ａのネジ孔２５７ｂ，２５７ｂに螺合させ、前枠支持機構２７が幕板部２５の後面に取り付けられる。ここで、図７に明瞭に示すように、幕板部２５の幕板上面部２５ａには、支持機構取付ボス２５７ａの上方に位置して支持開口２５７ｃが上下に貫通して形成されており、上記のように幕板部２５の後面（支持機構取付ボス２５７ａ，２５７ａ）に前枠支持機構２７が取り付けられた状態で、前枠支持機構２７を構成する支持ローラ２７５の上端部が図４および図１１等に示すように幕板上面部２５ａの上面より上方に突出する。なお、このとき、幕板部２５の後面と支持ローラ２７５との干渉をさけるように幕板部２５の後面に逃げ溝２５７ｄが形成されている。
【００３９】
このようにして幕板上面部２５ａの上面から上端部が突出した支持ローラ２７５は、図１１に示すように、前枠３０の枠部材３１の右端部下面に当接して閉鎖状態の前枠３０の右側部を下面側から支持する。ここで前枠３０は前述のように左端部において上下のヒンジ機構５０，５１により開閉自在に支持されるが、図９に示すように前枠３０に固定されたヒンジ金具５６が下ヒンジピン部材５２の支持部５４ｂの上に載置されて左端部の上下方向の位置決めがなされる。このように、前枠３０を外枠２０に閉鎖状態で取り付けた状態では、左端部においては下ヒンジ機構５１により上下方向の支持がなされる一方、右端部においては支持ローラ２７５により上下方向の支持がなされるようになっている。このとき左右の支持位置が相違したのでは前枠３０が外枠２０に対して左右どちらかに傾くため、外枠２０の底面から下ヒンジピン部材５２の支持部５４ｂの上面までの上下寸法と、外枠２０の底面から支持ローラ２７５の上端面までの上下寸法とが等しくなるように設定されている。
【００４０】
なお、支持ローラ２７５は左右に延びる回転軸（軸ピン２７６）を中心として回転自在であり、前枠３０を開閉させるときに、前枠３０の枠部材３１の下面が支持ローラ２７５上に載置された状態で支持ローラ２７５が回転して、前枠３０をスムーズに開閉作動させることができる。
【００４１】
このように前枠３０を外枠２０に対して開閉するときに、前枠３０を開放した状態では、前枠３０は左側端部において上下のヒンジ機構５０，５１のみにより開閉自在に支持され（前枠支持機構２７による支持が外れ）、前枠３０の全体重量がヒンジ機構５０，５１のみにより支えられる状態となる。このため、ヒンジ機構５０，５１のピン嵌合部の隙間や部材の弾性変形等に起因して前枠３０の右端側が若干下方に下がった状態となる。このように右端側が下方に下がったまま前枠３０を外枠２０上に閉止状態となるように移動させると前枠３０の右端下端が幕板部２５の上端部と干渉するおそれがある。
【００４２】
このため、幕板上面部２５ａを前方に突出させた突出部２５ｂを形成するとともに突出部２５ｂの上面に前方に向かって下がる傾斜のテーパ面２５ｃを形成し、且つ、前枠３０の枠部材３１の下面後端部に後方に向かって上がる傾斜のテーパ面３１ｂを形成している。このため、図１２に示すように、前枠３０を外枠２０上に閉止するときに、前枠３０のテーパ面３１ｂが幕板上面部２５ａのテーパ面２５ｃの上を滑るようにして移動し、前枠３０をスムーズに閉止することができる。また、幕板上面部２５ａには前後に延びるとともに上方に突出した前枠ガイドリブ２５ｄが前端部にテーパを有して設けられており、テーパ面２５ｃの上を移動した前枠３０の下面を前枠ガイドリブ２５ｄ上を移動させて支持ローラ２７５の上にスムーズに導くようにしている。
【００４３】
上記突出部２５ｂは、天板１４の前面側に突出して形成される球箱載置台１４ａ（図１参照）上に載置された球箱の後側フランジ部の上面が突出部２５ｂの下面と近接対向するように形成されている。これにより、例えば、球箱の前端部を誤って手で押し下げたような場合に、後側フランジ部が持ち上がるのを防止し、球箱を載置台１４ａから落下させるようなことを防止できる。
【００４４】
なお、幕板部２６の上面には、幕板部２６の前面より後側において上方に起立するとともに左右方向に延びた前枠係止アーム部２５９が一体に形成されている。この前枠係止アーム部２５９の前面には後方に窪んだ係止凹部２５９ａが形成されており、前枠３０が外枠２０の前面に閉鎖状態で取り付けられたときに、図１１に示すように、前枠３０の枠部材３１の下端に後方に突出して形成された係止突起部３１ａが係止凹部２５９ａ内に入り込み、前枠３０を下枠２４に係止させ、前枠３０の上方への持ち上がり移動や、外部からの不正操作を防止する。
【００４５】
次に、第１上下動抑止機構２８について、図４〜図６、図８および図１１を参照して説明する。第１上下動抑止機構２８は、幕板部２５の後面に設けられて閉止状態の前枠３０の枠部材３１の下端と係合し、外枠２０に対して前枠３０の上下動を抑止するための機構である。図３から良く分かるように、第１上下動抑止機構２８は幕板部２５の左右方向中間部の二カ所に設けられているが、ともに同一構成である。
【００４６】
第１上下動抑止機構２８は、アングル状に折り曲げ成形された係止プレート２８１を、幕板部２５の後面に後方に突出して形成された上下一対の抑止機構取付ボス２５８ａに取り付けて構成される。この取付は、係止プレート２８１を抑止機構取付ボス２５８ａの後端面に当接させるとともに、係止プレート２８１に形成されたネジ挿入孔２８１ｂに取付ネジ２８２を挿入し、抑止機構取付ボス２５８ａに形成したネジ孔２５８ｂに取付ネジ２８２を螺合させてなされる。
【００４７】
一方、前枠係止アーム部２５９に、第１上下動抑止機構２８が取り付けられる位置に対応して挿入凹部２５９ｃが形成されている。そして、上記のように係止プレート２８１が抑止機構取付ボス２５８ａに取り付けられた状態で、係止プレート２８１の上部から前方に直角に折れ曲がって延びる係止アーム２８１ａが挿入凹部２５９ｃを通って前方に突出し、幕板上面部２５ａと上下に所定間隔をおいて平行に延びて位置する。また、図８および図１１に示すように、前枠３０の枠部材３１における第１上下動抑止機構２８と対向する部分に、上面が後方に向かって下がるテーパ面３１ｄを有した係合部３１ｃが形成されている。
【００４８】
このように構成される第１上下動抑止機構２８は、図１１に示すように、前枠３０が外枠２０を覆って閉止されたときに、係合部３１ｃが係止アーム２８１ａと幕板上面部２５ａとの間の間隔内に入り込んで挟持される。ここで、前述のように、前枠３０は左端部において下ヒンジ機構５１により下方から支持されるとともに右端部において前枠支持機構２７により下方支持されており、この状態で係合部３１ｃが係止アーム２８１ａにより下方に押し下げられて保持される状態となり、前枠３０の上下動が抑止され、前枠３０は外枠２０に対して安定状態で静止保持される。このとき、係止プレート２８１は金属プレートから形成されており、係止アーム２８１ａの弾性力により下方への押し下げ力が得られる。また、このように弾性力を有して押圧しているため、外枠２０からの振動が前枠３０に伝達されにくく、搬送中等での振動に対して前枠３０に装着された内部機器を保護できる。なお、係止アーム２８１ａの先端は上方に円弧状に曲げられるとともに係合部３１ｃにはテーパ面３１ｄが形成されているため、前枠３０の閉止作動を行わせたときに、係合部３１ｃは係止アーム２８１ａと幕板上面部２５ａとの間の間隔内にスムーズに入り込み、前枠３０をスムーズに開閉できる。
【００４９】
次に、上枠部材２１と前枠３０の枠部材３１の上部との間に設けられた第２上下動抑止機構７０について説明する。この第２上下動抑止機構７０は、図１４および図１５に示すように、枠部材３１に固設された係止プレート７１と、上枠部材２１の下面に固設された当接部材７５とからなる。係止プレート７１は枠部材３１の後面に突出して形成された抑止機構取付ボス１３１にネジ挿入孔７１ａを介してビス１３２により固設されたＬ字状の金属板材からなり、係止アーム７２が後方に突出して延びる。
【００５０】
一方、当接部材７５は、前側に位置して下方に突出する係止突起７６と、後側に位置して下方に突出する把持突起７７とを連結する形状に形成され、下面側に窪み７８が形成されている。係止突起７６に上下に貫通して形成されたネジ挿通孔７６ａと、把持突起７７に上下に貫通して形成されたネジ挿通孔７７ａとにそれぞれネジ７６ｂおよび７７ｂを挿入するとともにこれらネジ７６ｂ，７７ｂを上枠部材２１の下面に螺合させ、図１５に示すように、当接部材７５が上枠部材２１の下面に固設されている。
【００５１】
そして、前枠３０が外枠２０の前面を覆って閉止保持されると、図１５に示すように、係止アーム７２が当接部材７５の係止突起７６の下面の下側に入り込み、係止突起７６により押さえられるようにして係止アーム７２を介して前枠３０が外枠２０に係止保持される。このとき、係止プレート７１は金属プレートから形成されており、その弾性力により下方への押し下げ力が得られる。このように弾性力を有して押圧しているため、外枠２０からの振動が前枠３０に伝達されにくく、搬送中等での振動に対して前枠３０に装着された内部機器を保護できる。なお、このように前枠３０が外枠２０に閉止保持された状態のパチンコ機ＰＭを持ち運びするときに、外枠２０の後面側から指を窪み７８内に差し込み、把持突起７７に指を引っかけるようにしてパチンコ機ＰＭを把持することができる。このため、パチンコ機ＰＭを手で把持して搬送することが容易である。
【００５２】
なお、以上説明したように、この実施形態に係るパチンコ機ＰＭにおいては、下枠部材２４の幕板部２５と前枠３０の下部との間に第１上下動抑止機構２８が設けられ、上枠部材２１と前枠３０の上部との間に第２上下動抑止機構７０が設けられているが、いずれか一方のみを設けるだけでも良い。
【００５３】
次に、可搬機能付き姿勢保持機構２９について説明する。この可搬機能付き姿勢保持機構２９を設けるために、下枠部材２４の枠底面２４ａ（外枠２０の底面）が図１１に示すように、前端から後端に向けて角度α（約１度以内の小さな角度）だけ上方に傾くテーパを有して形成されている。このため、外枠２０を水平な載置面上に載置すると、外枠２０は垂直状態から角度αだけ後傾した状態で起立する。
【００５４】
前述のように、外枠２０を遊技島構造体１０に取り付けるときには、底板部２６の左右２カ所に形成された釘ボス２６４の釘打ち孔２６４ａを通して釘を天板１４に打ち込んで底板部２６を天板１４に結合固定する。これにより、枠底面２４ａが天板１４に接触し、外枠２０は天板１４上に所定角度αだけ後傾して取り付けられる。この角度αはパチンコ機ＰＭを設置するために要求される角度であり、通常は約１度以内の角度であり、このように角度αだけ後傾した状態でパチンコ機ＰＭが遊技に供される。このことから分かるように、本実施形態に係るパチンコ機ＰＭでは、外枠２０の底板部２６の釘打ち孔２６４ａを通して釘を天板１４に打ち込んで底板部２６（下枠部材２４）を天板１４に結合固定するだけで、外枠２０およびこれに前枠３０を取り付けて構成されるパチンコ機ＰＭを所要角度αだけ後傾した状態で遊技島構造体１０に取り付けることができ、後傾角度調整が簡単である。
【００５５】
ところで、パチンコ機ＰＭの製造および搬送段階においてはパチンコ機ＰＭ（外枠２０）を立設した状態で保管したり、搬送台上に載置して搬送されたりするが、パチンコ機ＰＭが角度αだけ後傾した状態では不安定な状態で立設することになり、搬送時にパチンコ機ＰＭが後方に倒れるおそれがあるという問題がある。また、パチンコ機ＰＭを製造ライン内で移動させたり、遊技ホール内で移動させたりするときにはこれを人手により行うことも多く、このようなときにできる限り容易に移動ができるようにすることが求められる。そこで、搬送時等における立設安定性を向上させ、人手による搬送を容易にするために、可搬機能付き姿勢保持機構２９が設けられている。
【００５６】
可搬機能付き姿勢保持機構２９は、図３に示すように底板部２６の下底面部２６１の左右にそれぞれ設けられた左右対称形状となる一対の支持プレート２９１，２９１と、これら一対の支持プレート２９１，２９１に掛け渡された連結シャフト２９７と、連結シャフト２９７の左右端部にそれぞれ回転自在に取り付けられた姿勢保持ローラ２９８，２９８とを備えて構成される。左右一対の支持プレート２９１，２９１は対象形状であるので、対応部分には同一番号を付して説明する。
【００５７】
支持プレート２９１は、下枠部材２４の下底面部２６１の上にネジ２９２ａにより固定される下面部２９２と、ネジ孔が形成されたボス部２９３ａを有して下面部２９２の後端から繋がって起立して形成された後面部２９３と、上方に開口するＵ字状溝２９４ａを有して後面部２９３に繋がって前後に延びて起立して形成された側面部２９４と、側面部２９４の後端に繋がって斜め後方に延びて起立して形成された延長面部２９４ｂとを有して樹脂一体成形により形成されている。この延長面部２９４ｂは図５に示すように左右一対の延長面部２９４ｂが平面視「ハ」の字状になるように形成されており、何らかの原因で誤ってこの間に落下した遊技球を後方に排出させるガイドとしての役割を果たすように形成されている。なお、この趣旨から下底面部２６１の上面を後方に向かって緩やかに下るテーパ状に形成するのが好ましい。
【００５８】
後面部２９３のボス部２９３ａに前後に延びて形成されたネジ孔に、固定ネジ２９５が、螺合量調整が容易となるように、後面側から螺合挿入されて取り付けられている。この固定ネジ２９５は、ネジシャフト部２９５ａが、図５の左側に示すように後面部２９３の前面から後面側に引っ込んだ位置（これを解放位置と称する）から、後面部２９３の前面から前面側に突出した位置（これを装着位置と称する）まで螺合量調整により移動可能である。
【００５９】
連結シャフト２９７は左右端部に姿勢保持ローラ２９８をそれぞれ回転自在に取り付けられた状態で、側面部２９４のＵ字状溝２９４ａ内に配設して装着するように構成されている。このようにＵ字状溝２９４ａ内に装着した状態で固定ネジ２９５を装着位置まで螺合させてネジシャフト部２９５ａを図５の左側に示すように前方に突出させると、図１１，図１２等に示すように、連結シャフト２９７をＵ字状溝２９４ａ内に装着した状態で保持する。一方、固定ネジ２９５を解放位置まで螺合移動させると、ネジシャフト部２９５ａは引っ込むため、連結シャフト２９７をＵ字状溝２９４ａ内から取り外したり、ここに取り付けたりすることができる。連結シャフト２９７をＵ字状溝２９４ａ内に取り付けた状態では、左右端に取り付けられた姿勢保持ローラ２９８は底板部２６１に後端側に開放して形成された開口２６１ｂ内に位置する。このように左右端に姿勢保持ローラ２９８を取り付けた状態の連結シャフトを着脱する形式を採用しているため、左右の姿勢保持ローラ２９８を独立して着脱する場合に比べ着脱容易である。
【００６０】
上記構成の姿勢保持機構２９の使用方法について説明する。まず、パチンコ機ＰＭを搬送したり、搬送台上に立設させたりする場合、すなわち、遊技島構造１０に取り付ける前の段階では、左右に姿勢保持ローラ２９８を取り付けた連結シャフト２９７がＵ字状溝２９４ａ内に配設され、且つ固定ネジ２９５を装着位置まで螺合させてネジシャフト部２９５ａを突出させてこの連結シャフト２９７をＵ字状溝２９４ａ内に装着した状態で保持させる。この状態では、図１１に示すように、姿勢保持ローラ２９８が開口２６１ｂ内に位置するとともにその下端が枠底面２４ａｂから僅かに突出して枠底面２４ａが角度αだけ上方に傾いた状態となる。前述のように枠底面２４ａはパチンコ機ＰＭを所定後傾角度αで遊技島構造体１０に取り付けるために水平に対して角度αのテーパを有しているため、枠底面２４ａを載置面１１０（天板１４）上に載置した場合、パチンコ機ＰＭは後傾状態となり立設安定性が低くなるが、このように姿勢保持ローラ２９８が突出することにより、枠底面２４ａの前端部と姿勢保持ローラ２９８とが載置面１１０に接触して（図１１において矢印で示す位置で接触）、パチンコ機ＰＭが垂直に立設する状態となり、安定した立設状態を確保できる。
【００６１】
さらに、この状態では、図１１から分かるように、側面視における姿勢保持ローラ２９８の外周より内周側に外枠２０の後端下部コーナー部が位置する。すなわち、枠底面２４ａと、その後端に形成された面取り部２４ｂと、枠後端面２４ｃとが集まる後端下部コーナー部が側面視において姿勢保持ローラ２９８の外周より内周側に位置する。この状態では、外枠２０の前部を浮き上がらせると姿勢保持ローラ２９８が搬送面１００に接触する状態となるため、図１２および図１３に示すように、パチンコ機ＰＭを後面側に倒すように斜めにして姿勢保持ローラ２９８を搬送面１００上で転動させることにより、簡単に且つ容易にパチンコ機ＰＭを搬送面１００上で搬送移動させることができる。この場合、例えば、外枠２０の上部後面側から手を差し込んで上枠部材２１の下面に接合された当接部材７５の把持突起７７を指で把持し、パチンコ機ＰＭを人手により簡単且つ軽快に搬送移動できる。
【００６２】
一方、パチンコ機ＰＭを遊技島構造体１０に取り付けるときには、固定ネジ２９５を解放位置まで螺合移動させてネジシャフト部２９５ａを引っ込ませ、連結シャフト２９７をＵ字状溝２９４ａ内から取り外す。この状態では枠底面２４ａから下方に突出するものがなくなり、図９に示すように、パチンコ機ＰＭを遊技島構造体１０の天板１４上に載置すれば枠底面２４ａが天板１４に接触し、外枠２４（パチンコ機ＰＭ）は所定角度αだけ後傾した状態となる。そこで、釘打ち孔２６４ａから天板１４に釘を打ち込んで外枠２０（下枠部材２４）を島構造体１０に固定すれば、パチンコ機ＰＭを所定角度αだけ後傾した状態で島構造体１０に簡単に取り付けることができる。このように取り外した左右に姿勢保持ローラ２９８を有する連結シャフト２９７は、パチンコ機ＰＭ内に設けられた係止手段（図示せず）に係止されて収納され、パチンコ機ＰＭを遊技島構造体１０から取り外して搬送する場合等に再使用される。なお、取り外した連結シャフト２９７を別のパチンコ機ＰＭの搬送等のために利用して、資源の有効活用を図るようにしても良い。
【００６３】
以上においては、外枠２０の底面すなわち下枠部材２４の枠底面２４ａを角度αだけ傾けて構成した例を説明したが、枠底面２４ａを前半底面と後半底面とに分割して形成し、前半底面は水平に設定し、前半底面に対して後半底面を所定角度αだけ傾斜して形成しても良い。この場合には、前半底面を水平載置面上に接触させて外枠を垂直に起立させ、後半底面を水平載置面上に接触させて外枠を所定角度だけ後傾状態で起立させることができる。この場合に、連結シャフト２９７を取り付けた状態で、左右の姿勢保持ローラ２９８の下端が前半底面の延長面上に位置するように設定しておけば、前半底面および姿勢保持ローラ２９８の下端を水平載置面に当接させて外枠を垂直に且つ安定状態で起立させることができる。
【００６４】
以上説明した本発明の実施形態において、達成される主要な効果を整理すれば、下記のようになる。
【００６５】
第１に、下枠部材２４は、前枠３０の下側において前面に露出する部分をなす幕板部２５と、外枠下面を形成する底板部２６とを備えて樹脂材料により一体に形成されている。このように樹脂材料を使用することにより、下枠部材２４についてはこれをそのまま廃棄することなく、溶融して再利用可能である。
【００６６】
第２に、関東枠用の下枠部材２４と関西枠用の下枠部材２４′とは、底板部２６より上側の幕板部２５，２５′の高さ寸法を変更した形状により対応している。このため、幕板延出部２５３，２５３′および結合面部２５２，２５２′のサイズが両下枠部材２４，２４′において相違するのみで、その他の寸法、形状は関東枠、関西枠いずれの場合も同一となり、下枠部材２４，２４′を変更するだけで、上および左右枠部材２１，２２，２３を共用できる。
【００６７】
第３に、パチンコ機ＰＭを遊技島構造体１０に取り付けるときに、まず外枠２０が単体で遊技島構造体１０に取り付けられるが、この取付は、底板部２６を釘（例えば、五寸釘）により天板１４に打ち付けて行われる。このとき、下枠部材２４は樹脂材料により形成されているため、釘を底板部２６に直接打ち込んだのでは底板部２６が割れたり、ヒビが入ったりするおそれがある。このため、底板部２６の左右２カ所に前後方向の後部側に位置して、左右に延びた長孔からなる釘打ち孔２６４ａを有した釘ボス２６４が形成されており、この釘打ち孔２６４ａを通して釘を天板１４に打ち込んで、底板部２６を天板１４に結合固定するようになっており、下枠部材２４が割れたり、ヒビが入ったりするおそれがない。
【００６８】
第４に、下ヒンジ機構５１は幕板部２５（下枠部材２４）の一部として樹脂一体成形されたヒンジ受容部２５６内に下ヒンジピン部材５２（ヒンジ部材）を受容保持する構成であるので、従来のようにヒンジ金具（ヒンジ部材）が幕板の前方に露出して装飾性を低下させるおそれがない。また、従来のようにヒンジ金具が前方に露出すると、ヒンジ金具が外部の何かに当たって外力が作用したようなときに、ヒンジ金具が変形して前枠の水平保持が狂うおそれがあり、さらには、前方に露出したヒンジ金具を通して遊技機内部に不正に電波等を照射して内部装置の誤作動を引き起こすような不正操作のおそれがあったが、本実施形態の下ヒンジ機構５１ではこのような問題がない。本実施形態の下ヒンジ機構５１では特に、下ヒンジピン部材５２の支持部５４ｂの上に載置されたヒンジ金具５６をヒンジ受容部２５６がカバーして保護する形態となっており、ヒンジ金具５６が外部から外力を受けて変形することを防止している。
【００６９】
第５に、前枠３０を外枠２０に閉鎖状態で取り付けた状態では、左端部においては下ヒンジ機構５１により上下方向の支持がなされる一方、右端部においては前枠支持機構２７の支持ローラ２７５により上下方向の支持がなされるようになっており、前枠３０を確実に支持することができる。また、支持ローラ２７５は左右に延びる回転軸を中心として回転自在であり、前枠３０を開閉させるときに、前枠３０の枠部材３１の下面が支持ローラ２７５上に載置された状態で支持ローラ２７５が回転して、前枠３０をスムーズに開閉作動させることができる。さらに、幕板上面部２５ａには前後に延びるとともに上方に突出した前枠ガイドリブ２５ｄが前端部にテーパを有して設けられており、前枠３０の下面を前枠ガイドリブ２５ｄ上を移動させて支持ローラ２７５の上にスムーズに導くようにしている。
【００７０】
上記突出部２５ｂは、天板１４の前面側に突出して形成される球箱載置台１４ａ（図１参照）上に載置された球箱の後側フランジ部の上面が突出部２５ｂの下面と近接対向するように形成されている。これにより、例えば、球箱の前端部を誤って手で押し下げたような場合に、後側フランジ部が持ち上がるのを防止し、球箱を載置台１４ａから落下させるようなことを防止できる。
【００７１】
第６に、幕板部２６の上面には、幕板部２６の前面より後側において上方に起立するとともに左右方向に延びた前枠係止アーム部２５９が一体に形成されている。この前枠係止アーム部２５９の前面には後方に窪んだ係止凹部２５９ａが形成されており、前枠３０が外枠２０の前面に閉鎖状態で取り付けられたときに、図１２に示すように、前枠３０の枠部材３１の下端に後方に突出して形成された係止突起部３１ａが係止凹部２５９ａ内に入り込み、前枠３０を下枠２４に係止させ、前枠３０の上方への持ち上がり移動や、外部からの不正操作を防止する。
【００７２】
第７に、第１上下動抑止機構２８は、図１２に示すように、前枠３０が外枠２０を覆って閉止されたときに、係合部３１ｃが係止アーム２８１ａと幕板上面部２５ａとの間の間隔内に入り込んで挟持される。ここで、前述のように、前枠３０は左端部において下ヒンジ機構５１により下方から支持されるとともに右端部において前枠支持機構２７により下方支持されており、この状態で係合部３１ｃが係止アーム２８１ａにより下方に押し下げられて保持される状態となり、前枠３０の上下動が抑止され、前枠３０は外枠２０に対して安定状態で静止保持される。このとき、係止プレート２８１は金属プレートから形成されており、係止アーム２８１ａの弾性力により下方への押し下げ力が得られる。また、このように弾性力を有して押圧しているため、外枠２０からの振動が前枠３０に伝達されにくく、搬送中等での振動に対して前枠３０に装着された内部機器を保護できる。
【００７３】
第８に、上枠部材２１と前枠３０の枠部材３１の上部との間に設けられた第２上下動抑止機構７０が設けられているので、前枠３０が外枠２０の前面を覆って閉止保持されると、図１９に示すように、係止アーム７２が当接部材７５の係止突起７６の下面の下側に入り込み、係止突起７６により押さえられるようにして係止アーム７２を介して前枠３０が外枠２０に係止保持される。このとき、係止プレート７１は金属プレートから形成されており、その弾性力により下方への押し下げ力が得られる。このように弾性力を有して押圧しているため、外枠２０からの振動が前枠３０に伝達されにくく、搬送中等での振動に対して前枠３０に装着された内部機器を保護できる。なお、このように前枠３０が外枠２０に閉止保持された状態のパチンコ機ＰＭを持ち運びするときに、外枠２０の後面側から指を窪み７８内に差し込み、把持突起７７に指を引っかけるようにしてパチンコ機ＰＭを把持することができる。このため、パチンコ機ＰＭを手で把持して搬送することが容易である。
【００７４】
第９に、下枠部材２４の枠底面２４ａを、パチンコ機ＰＭが所定後傾角度αを有して島構造体１０に設置されるように、角度αのテーパを有して形成されており、枠底面２４ａを載置面上に接触させて外枠２０を載置すると外枠２０は載置面に対して角度αだけ後傾状態で起立する。よって、島構造体１０へ外枠２０の取り付けが簡単である。
【００７５】
ここで、下枠部材２４に設けられた可変機能付き姿勢保持機構２９において、左右に姿勢保持ローラ２９８を取り付けた連結シャフト２９７をＵ字状溝２９４ａ内に配設し、且つ固定ネジ２９５を装着位置まで螺合させてネジシャフト部２９５ａにより連結シャフト２９７をＵ字状溝２９４ａ内に装着した状態で保持させれば、姿勢保持ローラ２９８の下端が枠底面２４ａｂから僅かに突出して枠底面２４ａが角度αだけ上方に傾いた状態となる。ここで、枠底面２４ａはパチンコ機ＰＭを所定後傾角度αで遊技島構造体１０に取り付けるために水平に対して角度αのテーパを有しているため、枠底面２４ａを載置面１１０（天板１４）上に載置した場合、パチンコ機ＰＭは後傾状態となり立設安定性が低くなるが、このように姿勢保持ローラ２９８が突出することにより、枠底面２４ａの前端部と姿勢保持ローラ２９８とが載置面１１０に接触して、パチンコ機ＰＭが垂直に立設する状態となり、安定した立設状態を確保できる。
【００７６】
さらに、この状態では、図１１から分かるように、側面視における姿勢保持ローラ２９８の外周より内周側に外枠２０の後端下部コーナー部が位置するので、この状態で外枠２０の前部を浮き上がらせると姿勢保持ローラ２９８が搬送面１００に接触する状態となり、図１２および図１３に示すように、パチンコ機ＰＭを後面側に倒すように斜めにして姿勢保持ローラ２９８を搬送面１００上で転動させることにより、簡単に且つ容易にパチンコ機ＰＭを搬送面１００上で搬送移動させることができる。この場合、例えば、外枠２０の上部後面側から手を差し込んで上枠部材２１の下面に接合された当接部材７５の把持突起７７を指で把持し、パチンコ機ＰＭを人手により簡単且つ軽快に搬送移動できる。
【００７７】
一方、パチンコ機ＰＭを遊技島構造体１０に取り付けるときには、固定ネジ２９５を解放位置まで螺合移動させてネジシャフト部２９５ａを引っ込ませ、連結シャフト２９７をＵ字状溝２９４ａ内から取り外す。この状態では枠底面２４ａから下方に突出するものがなくなり、図９に示すように、パチンコ機ＰＭを遊技島構造体１０の天板１４上に載置すれば枠底面２４ａが天板１４に接触し、外枠２４（パチンコ機ＰＭ）は所定角度αだけ後傾した状態となる。そこで、釘打ち孔２６４ａから天板１４に釘を打ち込んで外枠２０（下枠部材２４）を島構造体１０に固定すれば、パチンコ機ＰＭを所定角度αだけ後傾した状態で島構造体１０に簡単に取り付けることができる。なお、このように取り外した左右に姿勢保持ローラ２９８を有する連結シャフト２９７は、別のパチンコ機ＰＭの搬送等のために利用して、資源の有効活用を図ることもできる。
【図面の簡単な説明】
【００７８】
【図１】本発明に係る縦型遊技機としてのパチンコ機を遊技島構造体に取り付けた状態を示す正面図である。
【図２】本発明に係る縦型遊技機としてのパチンコ機を遊技島構造体に取り付けた状態を示す背面図である。
【図３】上記パチンコ機の外枠を構成する下枠部材を示す背面図であり、図３（Ａ）は関東枠用の下枠部材、図３（Ｂ）は関西枠用の下枠部材の背面図である。
【図４】上記外枠の下部を示す正面図である。
【図５】上記外枠の下部を示す部分断面平面図である。
【図６】上記外枠の下部を示す背面図である。
【図７】上記外枠の下枠部材に設けられる前枠支持構造の部品構成を示す分解斜視図である。
【図８】上記外枠の下枠部材に設けられる第１上下動抑止機構および可搬機能付き姿勢保持機構の構成を示す部分断面分解斜視図である。
【図９】上記パチンコ機の下部を下ヒンジ機構５１の中心を通る前後垂直面に沿って切断して示す側面断面図である。
【図１０】下ヒンジ機構の部品構成を示す分解斜視図である。
【図１１】上記パチンコ機の下部における第１上下動抑止機構および姿勢保持機構を示す部分断面側面図である。
【図１２】姿勢保持機構に連結シャフトを取り付けてパチンコ機を搬送移動させる状態を示すパチンコ機の下部側面断面図である。
【図１３】姿勢保持機構に連結シャフトを取り付けてパチンコ機を搬送移動させる状態を示すパチンコ機の側面図である。
【図１４】第２上下動抑止機構の構成部品を示す斜視図である。
【図１５】第２上下動抑止機構を示すパチンコ機の断面図である。
【符号の説明】
【００７９】
ＰＭ  パチンコ機                      ＰＡ  遊技領域
１０  島構造体                        １１  島幕板
１２  ランプ板                        １２ａ  呼出ランプ
１３  保持枠
１４  天板                            １４ａ  球箱載置台
１５  腰板
１３１  抑止機構取付ボス              １３２  ビス
２０  外枠                            ２１  上枠部材
２２  左枠部材                        ２２ａ  リベット挿通孔
２３  右枠部材                        ２３ａ  リベット挿通孔
２２１，２３１  凹溝
２２２，２３２  リベット
２２３，２３３  受け座金
２４，２４′  下枠部材
２４ａ  枠底面
２５，２５′  幕板部
２５ａ  幕板上面部                    ２５ｂ  突出部
２５ｃ  テーパ面                      ２５ｄ  前枠ガイドリブ
２５１  補強リブ
２５２，２５２′  結合面部            ２５２ａ  リベット挿通孔
２５３，２５３′  幕板延出部
２５３ａ  ボス部                      ２５３ｂ  ネジ挿入孔
２５３ｃ  キャップ取付凹部
２５４  ネジ                          ２５５  キャップ
２５６  ヒンジ受容部
２５６ａ  受容凹部                    ２５６ｂ  保持凹部
２５６ｃ  ネジ挿入孔                  ２５６ｄ  保持ネジ孔
２５７ａ  支持機構取付ボス            ２５７ｂ  ネジ孔
２５７ｃ  支持開口                    ２５７ｄ  逃げ溝
２５８ａ  抑止機構取付ボス            ２５８ｂ  ネジ孔
２５８ｃ  保持機構取付ボス
２５９  前枠係止アーム部              ２５９ａ  係止凹部
２５９ｃ  挿入凹部
２６  底板部
２６１  下底面部
２６１ａ  底面リブ                    ２６１ｂ  開口
２６２  上底面部                      ２６２ａ  底板延出部
２６２ｂ  ローラ配設開口              ２６２ｃ  保持機構取付ボス
２６４  釘ボス                        ２６４ａ  釘打ち孔
２６５  下面前端部
２６５ａ  下面前端延長部              ２６５ｂ  凹部
２６６  下端キャップ                  ２６６ａ  ネジ
２７  前枠支持機構
２７１  ベース部材
２７２  後面板部                      ２７２ａ  ネジ挿入孔
２７３  右面板部                      ２７３ａ  上部
２７４  左面板部                      ２７４ａ  上部
２７５  支持ローラ
２７６  軸ピン
２７８  取付ネジ
２８  第１上下動抑止機構
２８１  係止プレート
２８１ａ  係止アーム                  ２８１ｂ  ネジ孔
２８２  取付ネジ
２９  可搬機能付き姿勢保持機構
２９１  支持プレート
２９２  下面部                        ２９２ａ  ネジ
２９３  後面部                        ２９３ａ  ボス部
２９４  側面部                        ２９４ａ  Ｕ字状溝
２９４ｂ  延長面部
２９５  固定ネジ                      ２９５ａ  ネジシャフト部
２９７  連結シャフト
２９８  姿勢保持ローラ
３０  前枠
３１  枠部材
３１ａ  係止突起                      ３１ｂ  テーパ面
３１ｃ  係合部                        ３１ｄ  テーパ面
３２  施錠装置                        ３３  ガラス扉
３５  遊技盤                          ３６  レール
３７  画像表示装置                    ３８  入賞具
３９  アウト口
４０  上球皿装置                      ４１  上球皿部
４２  球排出レバー
４３  下球皿装置                      ４４  下球皿部
４５  発射ハンドル                    ４６  灰皿
４７  球抜きレバー
５０  上ヒンジ機構
５１  下ヒンジ機構                    ５２  下ヒンジピン部材
５３  板状部                          ５３ａ  ネジ挿入孔
５４ａ  保持部                        ５４ｂ  支持部
５４ｃ  支持ピン部                    ５５  固定ネジ
５６  ヒンジ金具                      ５６ａ  嵌合孔
５７  ネジ                            ５８  保持ネジ
６１  球貯留タンク                    ６２  タンクレール
６３  球払出装置                      ６４  電源基板
６５  主基板                          ６６  画像制御基板
７０  第２上下動抑止機構
７１  係止プレート                    ７１ａ  ネジ挿入孔
７２  係止アーム
７５  当接部材
７６  係止突起
７６ａ  ネジ挿通孔                    ７６ｂ  ネジ
７７  把持突起
７７ａ  ネジ挿通孔                    ７７ｂ  ネジ
７８  窪み
【図１】
2006034843.tif 000003
【図２】
2006034843.tif 000004
【図３】
2006034843.tif 000005
【図４】
2006034843.tif 000006
【図５】
2006034843.tif 000007
【図６】
2006034843.tif 000008
【図７】
2006034843.tif 000009
【図８】
2006034843.tif 000010
【図９】
2006034843.tif 000011
【図１０】
2006034843.tif 000012
【図１１】
2006034843.tif 000013
【図１２】
2006034843.tif 000014
【図１３】
2006034843.tif 000015
【図１４】
2006034843.tif 000016
【図１５】
2006034843.tif 000017